(57)【要約】【課題】運転中にケース部材内に堆積した洗剤をきれいに除去できるフィルタ部材を備えた洗濯機を実現する。【解決手段】水槽１１から流出した洗濯水が通過するケース部材６０と、ケース部材６０に着脱可能に設けられるフィルタ部材５０とを備え、フィルタ部材５０は、ケース流入路６１の入口側を開放し、ケース排出路６２に対向してフィルタ排出路５６を設け、ケース循環路６８の出口の内側には複数の貫通孔５５ａ、５５ｂを有する側面部５４を設けるとともに、フィルタ排出路５６への入口と貫通孔５５ａ、５５ｂは前後方向において重ならないように配設する。【選択図】図４
2016158743.tif 000002
【特許請求の範囲】
【請求項１】
洗濯水を貯水する水槽と、前記水槽から流出した洗濯水が通過するケース部材と、前記ケース部材に設けられ前記水槽から流出される洗濯水を前記ケース部材内に導くケース流入路と、前記ケース部材に設けられ前記ケース部材内の洗濯水を機外へ排出するケース排出路と、前記ケース部材から前記水槽内へ洗濯水を循環させるケース循環路と、前記ケース部材に着脱可能に設けられるフィルタ部材と、前記ケース排出路に取り付けられる排水ポンプと、前記ケース循環路に取り付けられる循環ポンプとを備え、前記フィルタ部材は、前記ケース部流入路の入口側を開放し、前記ケース排出路に対向してフィルタ排出路を設け、前記ケース循環路の出口の内側には複数の貫通孔を有する側面部を設けるとともに、前記フィルタ排出路への入口と前記貫通孔は前後方向において重ならないように配設されたことを特徴とする洗濯機。
【請求項２】
前記フィルタ部材は、前記フィルタ排出路が中空略円筒形状に形成され、前記フィルタ排出路への入口である先端部、もしくは先端部近傍と前記側面部が略平板状の板材で接続するとともに、前記フィルタ排出路の出口である後端部に、前記フィルタ部材の後端部を構成する仕切り板を設けたことを特徴とする請求項１記載の洗濯機。
【請求項３】
前記貫通孔は、前記ケース循環路の出口の対向位置に設けられた複数の第１の貫通孔が、他の位置に設けられた複数の第２の貫通孔より、開口面積が小さく、四角形状に形成されたことを特徴とする請求項１または２に記載の洗濯機。
【発明の詳細な説明】
【技術分野】
【０００１】
本発明は洗濯水に含まれる糸くず・髪の毛、衣服用のボタン、衣服用の付属具等の異物を洗濯水から捕集するフィルタ装置を備えた洗濯機に関するものである。
【背景技術】
【０００２】
従来、この種の洗濯機は、回転自在な内槽を収納し洗濯水を溜める外槽と、外槽から流出する洗濯水に含まれる異物を捕集するフィルタ装置を備えたものが開示されている（例えば、特許文献１参照）。
【０００３】
図６および７は、特許文献１に記載された従来の洗濯機のフィルタ装置を示す断面図である。図５および６において、フィルタ装置１００は、筒形をなすフィルタケース１５０と、このフィルタケース１５０の内部に収納されたフィルタ体１５１とを備える。
【０００４】
フィルタ体１５１は、封止キャップ１５２の内側端に相対して回転自在に連結された円板形の封止フランジ１５７と、フィルタケース１５０の内部に適長侵入して位置する端部フランジ１５８との間に架設されている。フィルタケース１５０は、上部が平坦化された円筒体であり、またフィルタ体１５１は、一側が開放された半筒形の部材であって、開放側を上向きとしてフィルタケース１５０の内部に挿入され、両側の上縁をフィルタケース１５０の内面に押し付けて、下部の三日月形の空間を上部空間と液密に分割するように装着されている。
【０００５】
このように装着されたフィルタ体１５１の大部分には、小面積の矩形のフィルタ目を縦横に並設してなる密フィルタ部１５１ａが設けられている。密フィルタ部１５１ａには、密のフィルタ目と粗のフィルタ目が設けられており、密のフィルタ目の大きさは、主たる対象物である繊維屑の捕捉が可能に設定されており、粗のフィルタ目の大きさは、繊維屑の通過を許容し、繊維屑以外の捕捉対象物のうちの最小物、例えば、シャツのボタンの捕捉が可能に設定されている。
【０００６】
また、フィルタ体１５１の上部には、循環入１５３と循環出１５４、下部には排出口１５５が配置されている。循環出側にはポンプ１５６が取り付けられている。運転時には、循環入１５３から水が流入し、ポンプ１５６を動作させた際、循環出１５４または排出口１５５から水が流出される仕組みとなっている。
【先行技術文献】
【特許文献】
【０００７】
【特許文献１】特開２００９−８９９４７号公報
【発明の概要】
【発明が解決しようとする課題】
【０００８】
しかしながら、従来の洗濯機では、運転を開始した際、洗濯機本体に洗濯水が給水されると、洗濯水と共に洗剤が循環入１５３からフィルタケース１５０に流入するが、密フィルタ部１５１ａより排出口１５５側およびフィルタ体１５１とフィルタケース１５０の間に洗剤が堆積し、体制記した後は、ポンプ１５６を動作しても洗剤が溶け残るという課題があった。
【０００９】
本発明は、上記従来の課題を解決するもので、運転中において、洗剤の溶け残りの発生を抑制し得るフィルタ部材を備えた洗濯機を提供することを目的としている。
【課題を解決するための手段】
【００１０】
本発明は上記目的を達成するために、本発明の洗濯機は、洗濯水を貯水する水槽と、前記水槽から流出した洗濯水が通過するケース部材と、前記ケース部材に設けられ前記水槽から流出される洗濯水を前記ケース部材内に導くケース流入路と、前記ケース部材に設けられ前記ケース部材内の洗濯水を機外へ排出するケース排出路と、前記ケース部材から前記水槽内へ洗濯水を循環させるケース循環路と、前記ケース部材に着脱可能に設けられるフィルタ部材と、前記ケース排出路に取り付けられる排水ポンプと、前記ケース循環路に取り付けられる循環ポンプとを備え、前記フィルタ部材は、前記ケース部流入路の入口側を開放し、前記ケース排出路に対向してフィルタ排出路を設け、前記ケース循環路の出口の内側には複数の貫通孔を有する側面部を設けるとともに、前記フィルタ排出路への入口と前記貫通孔は前後方向において重ならないように配設したものである。
【００１１】
これにより、運転開始時に洗濯水と共にケース流入路より流入した洗剤は、一旦はケース部材内および排水ポンプ接続部内に堆積するものの、その後循環ポンプを動作させることにより、フィルタ部収容空間内および排水ポンプ接続部内の洗濯水および洗剤は、ケース循環路から排出され、水槽内へ循環され、効率よく溶解されるため、運転終了後にはフィルタ部収容空間内および排水ポンプ内の洗剤残りを回避することができるものである。
【発明の効果】
【００１２】
本発明の洗濯機は、フィルタ部材での洗剤の溶け残りの発生を抑制し得る洗濯機を実現することができる。
【図面の簡単な説明】
【００１３】
【図１】本発明の実施の形態１における洗濯機の外観を示す斜視図
【図２】同洗濯機の概略縦断面図
【図３】同洗濯機のケース部材とフィルタ部材の分解斜視図
【図４】同洗濯機のケース部材にフィルタ部材が装着された状態の縦断面図
【図５】同洗濯機のケース部材にフィルタ部材が装着された状態の横断面図
【図６】従来の洗濯機のフィルタ装置を示す断面図
【図７】従来の洗濯機のフィルタ装置の斜視図
【発明を実施するための形態】
【００１４】
第１の発明は、洗濯水を貯水する水槽と、前記水槽から流出した洗濯水が通過するケース部材と、前記ケース部材に設けられ前記水槽から流出される洗濯水を前記ケース部材内に導くケース流入路と、前記ケース部材に設けられ前記ケース部材内の洗濯水を機外へ排出するケース排出路と、前記ケース部材から前記水槽内へ洗濯水を循環させるケース循環路と、前記ケース部材に着脱可能に設けられるフィルタ部材と、前記ケース排出路に取り付けられる排水ポンプと、前記ケース循環路に取り付けられる循環ポンプとを備え、前記フィルタ部材は、前記ケース部流入路の入口側を開放し、前記ケース排出路に対向してフィルタ排出路を設け、前記ケース循環路の出口の内側には複数の貫通孔を有する側面部を設けるとともに、前記フィルタ排出路への入口と前記貫通孔は前後方向において重ならないように配設したものである。
【００１５】
この構成により、運転開始時に洗濯水と共にケース流入路より流入した洗剤は、一旦はケース部材内および排水ポンプ内に堆積するものの、その後循環ポンプを動作させることにより、フィルタ部収容空間内および排水ポンプ内の洗濯水および洗剤は、ケース循環路から排出され、水槽内へ循環され、効率よく溶解されるため、運転終了後にはフィルタ部収容空間内および排水ポンプ内の洗剤残りを回避することができる。
【００１６】
第２の発明は、前記フィルタ部材は、前記フィルタ排出路が中空略円筒形状に形成され、前記フィルタ排出路への入口である先端部と前記側面部が略平板状の板材で接続するとともに、前記フィルタ排出路の出口である後端部に、前記フィルタ部材の後端部を構成する仕切り板を設けたものである。
【００１７】
この構成により、循環ポンプを動作させた際、フィルタ部収容空間内の洗濯水および洗剤は、循環ポンプの吸引力により、ケース循環路から排出され、水槽内へ循環され、さらに、排水ポンプの内部に入り込んだ洗濯水および洗剤も、循環ポンプの吸引力は、略平板の板材および中空略円筒形状のフィルタ排出路の内面を伝って、排水ポンプの内部まで到達するので、排水ポンプの内部に入り込んだ洗濯水および洗剤も、排水ポンプの内部からフィルタ部収容空間および排出され、ケース循環路から排出され、水槽内へ循環され、効率よく溶解されるため、運転終了後にはフィルタ部収容空間内および排水ポンプ内の洗剤残りを回避することができる。
【００１８】
第３の発明は、前記貫通孔は、前記ケース循環路の出口の対向位置に設けられた複数の第１の貫通孔が、他の位置に設けられた複数の第２の貫通孔より、開口面積が小さく、四角形状に形成されたものである。
【００１９】
この構成により、開口面積が小さい第１の貫通孔で、洗濯水中に含まれる洗濯物から出たリント等の異物を効率よく回収し、また、この第１の貫通孔に異物が溜まり洗濯水が通過しにくくなった場合でも、第１の貫通孔より開口面積が大きい第２の貫通孔を通って、フィルタ部収容空間内および排水ポンプ内の洗濯水および洗剤は、ケース循環路から排出され、水槽内へ循環され、効率よく溶解されるため、運転終了後にはフィルタ部収容空間内および排水ポンプ内の洗剤残りを回避することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における洗濯機の外観を示す斜視図、図２は、同洗濯機の概略縦断面図、図３は、同洗濯機のケース部材とフィルタ部材の分解斜視図、図４は、同洗濯機のケース部材にフィルタ部材を装着した状態の縦断面図、図５は、同洗濯機のケース部材にフィルタ部材を装着した状態の横断面図である。
【００２２】
本実施の形態１においては、洗濯機は、ドラム式洗濯機を用いて説明し、以下、ドラム式洗濯機というが、ドラム式洗濯機に限定するものではない。
【００２３】
図１に示すように、本実施形態のドラム式洗濯機は、概略構成として、略箱状の本体部１と、回転軸２を支点として本体部１に対して開閉自在に設けられた第１扉体３と、第１扉体３の上部に配置された操作部４と、操作部４に隣接して配置された表示部５と、第１扉体３の上方で、かつ表示部５に隣接し、本体部１に対して凹んだ取手部４０に手を入れて引き出し可能に開閉できる洗剤収容容器６とを備えている。また、本体部１の後面には、後述する給水器２５の一部が露出されている。
【００２４】
本体部１の下部には、本体部１に対して開閉自在に設けられた第２扉体４５が設けられており、第２扉体４５を開放すると、第２扉体４５の内部には、フィルタ部材５０が配設されており、フィルタ部材５０の把持部５１が露出される。
【００２５】
本体部１へ衣類を投入、或いは本体部１から衣類を取り出すときには、第１扉体３を開放して行う。また、粉体状の粉末洗剤や液体洗剤や液体仕上剤などを洗剤収容容器６に投
入するときは、本体部１から洗剤収容容器６を引き出して行う。粉末洗剤等を洗剤収容容器６に投入後は、洗剤収容容器６を押し込んで本体部１側に収納する。操作部４を操作することで、本体部１に電源が投入でき、また、洗い、すすぎ、脱水など、各種洗濯コースも選択できる。操作部４の操作による選択結果や選択した洗濯コースが完了するまでの時間情報、各種洗濯行程進行状況、洗濯完了情報等が表示部５に表示されるようになっている。
【００２６】
次に、本体部１が有する各構成要素について説明する。
【００２７】
図２に示すように、本体部１には投入口７が設けられ、環状パッキン８、回転ドラム１０、水槽１１、モータ１２が収容されている。
【００２８】
投入口７は、本体部１の正面側に形成され、第１扉体３により開閉自在に閉塞されており、第１扉体３を開放することにより、投入口７より衣類の出し入れができるようになっている。
【００２９】
環状パッキン８は、投入口７と水槽１１との間に配置される。環状パッキン８により、投入口７と水槽１１との間の隙間に、衣類が嵌入したり、洗濯水が脱落することを防止する。
【００３０】
回転ドラム１０は、有底円筒形に形成され、外周部に多数の通水孔１４が設けられ、本体部１内に揺動自在に支持された水槽１１内に回転自在に配設されている。回転ドラム１０の通水孔１４は、水槽１１内の洗濯水が回転ドラム１０の内外に通過できるようになっている。
【００３１】
モータ１２は、水槽１１の背面側に取り付けており、回転ドラム１０の後面に取り付けた回転軸２を介して回転ドラム１０に連結されており、モータ１２が正転、逆転方向に回転駆動することで、水槽１１内の回転ドラム１０を正転、逆転方向に回転駆動する。
【００３２】
回転ドラム１０の内壁面には、突起部１３が複数設けられている。突起部１３は、回転ドラム１０を回転させることにより、衣類を突起部１３で引っ掛けて上方に持ち上げ、適当な高さで落下させるといった撹拌動作（タンブリング動作）を与えることにより、衣類の撹拌たたき洗い、および乾燥動作などを行う。
【００３３】
また、水槽１１の下方に配置されたダンパー１５および水槽１１の上方に配置されたばね体１６により、本体部１に対して水槽１１が揺動自在に防振支持されている。
【００３４】
水槽１１の上部側には、給水器２５と、洗剤収容容器６を含む洗剤収容部２６と、プリント基板から構成され制御回路を有する制御部２７とが、配置されている。洗剤収容部２６は、洗剤収容容器６と、給水部材３０と、送水部材３１と、接続管部材３２と、から構成される。
【００３５】
給水部材３０には、水道蛇口に接続される給水器２５が接続されている。送水部材３１は、給水部材３０の下方に設けられており、洗剤収容容器６を引き出し可能に保持している。
【００３６】
接続管部材３２は、一端が送水部材３１に接続され、他端は水槽１１に接続される。洗剤収容容器６は、前述したように、本体部１に対して引き出し可能であり、図２では、本体部１から引き出した状態を２点鎖線で示している。
【００３７】
水槽１１の背面側の下部には、排水口１７が設けられ、排水口１７は、排水管１９を介してケース部材６０に接続されている。ケース部材６０には、ケース部材６０の背面に設けられた排水ポンプ接続部６４に排水ポンプ６７が取り付けられ、排水ポンプ６７がＯＮ状態になることで、水槽１１内の洗濯水を本体部１の外部に、排水管１９、ケース部材６０、排水ポンプ接続部６４、排水ポンプ６７から排水ホース３５を介して排水する。
【００３８】
また、ケース部材６０には、循環ポンプ２１が取り付けられ、循環ポンプ２１は、循環経路２２を経由して水槽１１に設けた噴射口２３に接続している。洗い行程においては、循環ポンプ２１の動作により、排水口１７から吸い込まれた洗濯水が、ケース部材６０を通過し、噴射口２３から回転ドラム１０内の洗濯物に向けて噴射され、洗濯物に洗濯水を含ませる動作を行い、洗濯水を循環することで、洗い効果を高めることができる。なお、すすぎ行程においては、排水口１７から吸い込まれたすすぎ水が、ケース部材６０を通過し、噴射口２３から回転ドラム１０内の洗濯物に向けて噴射されることで、洗濯物に含まれる洗剤液を除去する動作を行い、すすぎ水を循環することで、すすぎ効果を高めることができる。
【００３９】
さらに、ケース部材６０の内部には、フィルタ部材５０が着脱可能に収容されている。
【００４０】
次に、図３を用いてケース部材６０の構成について説明する。ケース部材６０は、ケース流入路６１と、ケース排出路６２と、ケース循環路６８、循環ポンプ接続部６３と、排水ポンプ接続部６４と、フィルタ部材装着部６５と、フィルタ部収容空間６６とを備えている。
【００４１】
ケース流入路６１には、排水管１９が接続され、水槽１１の奥部に設けられた排水口１７と連通している。ケース排出路６２には、排水ホース３５が接続されている。循環ポンプ接続部６３には、循環ポンプ２１が取付けられている。フィルタ部材装着部６５には、フィルタ部材５０が着脱可能に取付けられている。
【００４２】
ケース部材６０は、内部にフィルタ部収容空間６６を有し、このフィルタ部収容空間６６内に、フィルタ部材５０のフィルタ部５２が収容され、フィルタ部材５０の一端側に設けた把持部５１が第２扉体４５の開放によりフィルタ部収容空間６６から外部に臨むように構成している。
【００４３】
フィルタ部５２は、着脱方向に長く形成されている。フィルタ部５２は、フィルタ部５２の後端部を形成し排水ポンプ接続部６４とフィルタ部５２の内部を仕切る仕切り板５３と、循環ポンプ接続部６３の内側にフィルタ部収容空間６６の内面に沿うように設けられた側面部５４とを備える。側面部５４には、ケース循環路６８の出口に対向する位置に複数の第１の貫通孔５５ａを形成するとともに、その他の位置には、複数の第２の貫通孔５５ｂを形成している。第１の貫通孔５５ａは、第２の貫通孔５５ｂより開口面積を小さく形成している。第１の貫通孔５５ａは、略四角形状に形成し、第２の貫通孔５５ｂは、略円形状に形成している。また、仕切り板５３の中央には、フィルタ部５２内に向かって突出した中空略円筒形状のフィルタ排出路５６が形成されている。フィルタ排出路５６への入口である先端部５６ａと側面部５４とは、略平板状の板材５７で接続されている。本実施の形態では、フィルタ排出路５６への入口である先端部５６ａと側面部５４とが略平板状の板材５７で接続しているが、先端部５６ａの近傍と側面部５４とが略平板状の板材５７で接続される構成でもよい。
【００４４】
把持部５１は、フィルタ部材５０のフィルタ部５２に対して前端に設けられている。前述した第２扉体４５を開くと露見され、把持部５１を所定方向に回転させると、ロックが解除される。ロックが解除された状態で、フィルタ部材装着部６５を介してフィルタ部収
容空間６６から引き抜き可能になる。取り外されたフィルタ部材５０は、外部からフィルタ部材装着部６５を介してフィルタ部収容空間６６に挿入され、前述の所定方向とは反対方向に回転させることでロックすることができる。
【００４５】
この構成により、排水時においては、排水ポンプ接続部６４に取り付けた排水ポンプ６７をＯＮ状態にするので、ケース流入路６１から流入した洗濯水は、フィルタ部材５０のフィルタ部５２を経た後、ケース排出路６２を通って、排水ホース３５に流れ出されることとなる。
【００４６】
また、洗い行程時およびすすぎ行程時の循環ポンプ２１の動作時においては、循環ポンプ接続部６３に取り付けた循環ポンプ２１の動作により、ケース流入路６１から流入した洗濯水は、フィルタ部５２を経た後、ケース循環路６８から循環ポンプ接続部６３、循環ポンプ２１、循環経路２２を経由して水槽１１に設けた噴射口２３から回転ドラム１０内の洗濯物に向けて噴射されることとなる。このとき、フィルタ部５２は、洗濯水中に含まれる洗濯物から出たリント等の異物を回収することができる。
【００４７】
次に、図４、図５を用いて詳細に説明する。
【００４８】
前述したように、フィルタ部材５０は、把持部５１とフィルタ部５２とから構成されている。フィルタ部５２は、フィルタ排出路５６が中空略円筒形状に形成され、前記フィルタ排出路５６への入口である先端部と側面部５４が略平板状の板材５７で接続されるとともに、フィルタ排出路５６の出口である後端部は、フィルタ部収容空間６６とフィルタ部５２の内部とを仕切る仕切り板５３を設けている。
【００４９】
フィルタ部５２は、仕切り板５３と、仕切り板５３の前面部に形成された側面部５４とを備えている。多数の貫通孔５５を有する側面部５４とフィルタ排出路５６は、前後方向（図４および図５に示すラインＤ上）で重ならないように配設されている。
【００５０】
ケース流入路６１は、ケース部材６０の正面から見て左側面側（図３の手前側）に形成されており、流入した洗濯水がフィルタ部５２側面に向かって流入するよう構成されている。また、ケース部材６０の正面から見て背面側（図４の左側）には、ケース排出路６２、排水ポンプ接続部６４が形成されており、ケース部材６０の正面から見て右側（図３の奥側）には、ケース循環路６８、循環ポンプ接続部６３が形成されている。側面部５４には、複数の貫通孔５５を有している。
【００５１】
次に、洗濯水および洗剤の流れについて説明する。
【００５２】
運転動作を開始すると、給水器２５が動作し、洗濯水が洗剤収容容器６へ供給され、洗濯水が使用者により洗剤収納器に投入された洗剤と共に、水槽１１へ流入する。その際、本構成のように排水コックがない場合は、洗剤と洗濯水はそのまま排水口１７を通して排水管１９、ケース流入路６１を介し、ケース部材６０へ流入する。このとき、洗剤がフィルタ排出路５６から排水ポンプ接続部６４側にも流れ、一部がケース部材内および排水ポンプ内に堆積する。
【００５３】
その後の運転動作の中で、循環ポンプ２１がＯＮ状態になった際、フィルタ部５２の側面部５４からケース循環路６８、循環ポンプ接続部６３、循環経路２２を介して、流れる洗濯水によって、ケース部材内および排水ポンプ内に堆積した洗剤が持ち上げられ、ケース循環路から排出され、再び水槽１１へ流入される。
【００５４】
このように、ケース部材６０に流入し、ケース部材内および排水ポンプ内に堆積した洗
剤は、循環経路２２を流れる洗濯水によりケース循環路から排出され、水槽内へ循環され、効率よく溶解されるため、運転終了後にはフィルタ部収容空間内および排水ポンプ内の洗剤残りを回避することができる。
【００５５】
フィルタ排出路５６と側面部５４が前後方向において重なるように形成されていると、排水ポンプ接続部６４側に堆積した洗剤は、側面部５４が抵抗となり、完全には水槽１１側には排出されず、洗剤がこの部分に溶け残る。
【００５６】
本実施の形態では、本構成はフィルタ排出路５６と側面部５４とが重ならないように配設しているため、循環ポンプの吸引力は、略平板の板材および中空略円筒形状のフィルタ排出路の内面を伝って、排水ポンプの内部まで到達するので、排水ポンプの内部に入り込んだ洗濯水および洗剤も、図４及び図５中に矢印にて示すように、排水ポンプの内部からフィルタ部収容空間および排出され、ケース循環路から排出できる。
【００５７】
ケース循環路の出口の対向位置に設けられた複数の第１の貫通孔が、他の位置に設けられた複数の第２の貫通孔より、開口面積が小さく、四角形状に形成しているので、開口面積が小さい第１の貫通孔により、洗濯水中に含まれる洗濯物から出たリント等の異物を効率よく回収し、また、第１の貫通孔に異物が溜まり洗濯水が通過しにくくなった場合でも、第１の貫通孔より開口面積が大きい第２の貫通孔を通って、フィルタ部収容空間内および排水ポンプ内の洗濯水および洗剤が、ケース循環路から排出できる。
【００５８】
運転中の排水の工程において、排水ポンプ６７がＯＮ状態になると、洗濯水は機外へ排出される。具体的には、水槽１１内の洗濯水がケース流入路６１からケース部材６０に入った洗濯水は、フィルタ排出路５６を通った後、ケース排出路６２へ排出される。
【００５９】
すなわち、水槽１１から排出される洗濯水は、機外へまたは再び水槽１１に供給されるものであり、この洗濯水は、必ずフィルタ部５２を通過するように構成されている。
【産業上の利用可能性】
【００６０】
以上のように、本発明に係る洗濯機は、ケース部材に堆積した洗剤を運転中に完全に溶かすことができるため、ドラム式洗濯機のみならずパルセータ式洗濯機にも適用できる。
【符号の説明】
【００６１】
１１  水槽
２１  循環ポンプ
４５  第２扉体
５０  フィルタ部材
５１  把持部
５２  フィルタ部
５４  側面部
５５  貫通孔
６０  ケース部材
６１  ケース流入路
６２  ケース排出路
６３  循環ポンプ接続部
６４  排水ポンプ接続部
６５  フィルタ部材装着部
６７  排水ポンプ
６８  ケース循環路
５６  フィルタ排出路
【図１】
2016158743.tif 000003
【図２】
2016158743.tif 000004
【図３】
2016158743.tif 000005
【図４】
2016158743.tif 000006
【図５】
2016158743.tif 000007
【図６】
2016158743.tif 000008
【図７】
2016158743.tif 000009